(57)【要約】【課題】専用部品を用いるようなことなく、構成が簡易な手段によって、前突荷重を車両後部側に適切に伝達することが可能な車両構造を提供する。【解決手段】ロッカリインフォースとして、前部リインフォース１と後部リインフォース２とを備え、この後部リインフォース２の上側領域に、リヤスライドドアのロアガイド用のレールケース３が配設されている、車両構造Ｃであって、前部リインフォース１の少なくとも後部は、その形状が断面ハット状とされ、かつ横向き開口の取付け姿勢とされて略水平状の板部１０ａを有し、レールケース３は、上側ケースパネル３０ａおよび下側ケースパネル３０ｂの一対のフランジ３２がこのレールケース３の前部から車両前方に向けて突出した構成とされ、前部リインフォース１の板部１０ａとレールケース３の一対のフランジ３２とは接合されている。【選択図】  図１
2014201073.tif 000002
【特許請求の範囲】
【請求項１】
ロッカリインフォースとして、前部リインフォースと、この前部リインフォースの車両後方側に位置する後部リインフォースとを備えており、
この後部リインフォースの上側領域に、リヤスライドドアのロアガイド用のレールケースが配設されている、車両構造であって、
前記前部リインフォースの少なくとも後部は、その形状が断面ハット状とされ、かつ横向き開口の取付け姿勢とされて略水平状の板部を有しており、
前記レールケースは、このレールケースを構成する上側ケースパネルおよび下側ケースパネルに設けられている一対のフランジがこのレールケースの前部から車両前方に向けて突出した構成とされており、
前記前部リインフォースの前記板部と前記レールケースの前記一対のフランジとは接合されていることを特徴とする、車両構造。
【請求項２】
請求項１に記載の車両構造であって、
前記上側ケースパネルのうち、前記一対のフランジの近傍部分には、リヤスライドドアのロアローラ用のストッパ片が取り付けられ、かつこのストッパ片の下部は、前記後部リインフォースに接合されている、車両構造。
【発明の詳細な説明】
【技術分野】
【０００１】
本発明は、リヤスライドドアを有するタイプの車両構造に関する。
【背景技術】
【０００２】
車両構造の一例として、特許文献１に記載のものがある。
同文献に記載の車両構造においては、リヤスライドドアのロアガイド用のレールケースが、車両下部のロッカ（サイドシル）内に配設されており、このロッカ内には、ロッカリインフォースも配設されている。このロッカリインフォースは、前部および後部の２つのリインフォースに分割して設けられ、かつ前部リインフォースをレールケースと連結することにより、前突荷重の伝達が図られるようにされている。前部リインフォースをレールケースに連結するための手段としては、それらとは別体の連結部材を利用し、前部リインフォースをレールケースの上面部に連結する手段が採用されている。前記連結部材は、センタピラーのリインフォースにも連結されており、前突荷重の入力時には、この荷重がレールケースの上面部に集中しないようにされている。
【０００３】
しかしながら、前記従来技術においては、次のような不具合がある。
【０００４】
すなわち、前部リインフォースとレールケースの上面部とを連結するための専用の連結部材が用いられているため、その分だけ部品点数が増える。したがって、軽量化や低コスト化を図る上で余り好ましくない。
また、前記従来技術は、連結部材をセンタピラーにも連結させるものであるために、センタピラーを有しない車両には適切に採用することができない。
仮に、センタピラーとの連結を図ることなく、ただ単純に前部リインフォースとレールケースの上面部とを連結部材で連結するだけの構造を採用した場合には、レールケースの上面部の剛性をかなり高める必要がある。剛性が不足したのでは、前突荷重の入力時に大きく変形し、適切な荷重伝達ができない。これを防止すべくレールケースの上面部の剛性を高めるには、この部分の厚肉化などを図る必要があり、重量増加や製造コストの上昇を招いてしまう。
【先行技術文献】
【特許文献】
【０００５】
【特許文献１】特開２０１０−２３６３２号公報
【発明の概要】
【発明が解決しようとする課題】
【０００６】
本発明は、前記したような事情のもとで考え出されたものであり、専用部品を用いるようなことなく、構成が簡易な手段によって、前突荷重を車両後部側に適切に伝達することが可能な車両構造を提供することを、その課題としている。
【課題を解決するための手段】
【０００７】
上記の課題を解決するため、本発明では、次の技術的手段を講じている。
【０００８】
本発明により提供される車両構造は、ロッカリインフォースとして、前部リインフォースと、この前部リインフォースの車両後方側に位置する後部リインフォースとを備えており、この後部リインフォースの上側領域に、リヤスライドドアのロアガイド用のレールケースが配設されている、車両構造であって、前記前部リインフォースの少なくとも後部は、その形状が断面ハット状とされ、かつ横向き開口の取付け姿勢とされて略水平状の板部
を有しており、前記レールケースは、このレールケースを構成する上側ケースパネルおよび下側ケースパネルに設けられている一対のフランジがこのレールケースの前部から車両前方に向けて突出した構成とされており、前記前部リインフォースの前記板部と前記レールケースの前記一対のフランジとは接合されていることを特徴としている。
【０００９】
このような構成によれば、次のような効果が得られる。
第１に、前部リインフォースとレールケースとは直結されており、これらを連結するための専用部品は不要である。したがって、部品点数の削減による軽量化や製造コストの低減を好適に図ることができる。
第２に、前部リインフォースの後部は、断面ハット状であり、その剛性を高くすることが可能である。一方、レールケースの一対のフランジが設けられている箇所は、たとえばレールケースの上面部などと比較すると、その剛性が格段に高い部分である。したがって、前突荷重を受けた際に前記した各所が大きく変形するようなことはなく、荷重伝達を適切に行なわせることが可能である。このため、特許文献１とは異なり、センタピラーを有しない車両にも好適となる。
第３に、前部リインフォースと接合される一対のフランジとしては、上側ケースパネルと下側ケースパネルとの接合に利用されるものを用いることができる。このため、たとえばレールケースに特別な改良を加えるといった必要はない。レールケースを厚肉化するといった必要性もない。さらに、前部リインフォースの後部の略水平状の板部と、レールケースの一対のフランジとを接合する作業は容易に行なうことが可能である。このようなことから、製造コストの一層の低減を図ることができる。
【００１０】
本発明において、好ましくは、前記上側ケースパネルのうち、前記一対のフランジの近傍部分には、リヤスライドドアのロアローラ用のストッパ片が取り付けられ、かつこのストッパ片の下部は、前記後部リインフォースに接合されている。
【００１１】
このような構成によれば、前突荷重の入力時にレールケースの一対のフランジが、いわゆる口開き状態に変形し難くなる効果が得られる。このような効果は、ロアローラ用のストッパ片を利用して得られるので合理的である。
【００１２】
本発明のその他の特徴および利点は、添付図面を参照して以下に行なう発明の実施の形態の説明から、より明らかになるであろう。
【図面の簡単な説明】
【００１３】
【図１】（ａ）は、本発明に係る車両構造の一例を示す要部斜視図である。（ｂ）は、（ａ）の要部拡大斜視図である。（ｃ）は、（ｂ）のＩｃ−Ｉｃ断面図である。（ｄ）は、（ａ）のＩｄ−Ｉｄ断面図である。
【発明を実施するための形態】
【００１４】
以下、本発明の好ましい実施の形態について、図面を参照して具体的に説明する。
図面において、矢印Ｆｒは車両前方を示し、矢印Ｏｕは車幅方向外方を示し、矢印Ｕｐは上方を示す。
【００１５】
図１に示す車両構造Ｃは、センタピラーを有しない車両構造であり、フロントピラー９０とリヤピラー９１との間に形成されたドア用開口部９５の下側には、ロッカリインフォースとして、前部リインフォース１、およびその車両後部側に位置する後部リインフォース２が設けられている。後部リインフォース２の上側領域には、リヤスライドドア（図示略）のロアガイド用のレールケース３が配設されている。なお、図１（ｄ）の仮想線に示すように、ロッカ４は、ロッカアウタパネル４０とロッカインナパネル４１とを組み合わせて構成される。
【００１６】
前部リインフォース１は、図１（ｂ）に示すように、その略全長域が断面ハット状であり、その取付け姿勢は横向き開口状である。このため、前部リインフォース１は、略水平状の上下一対の板部１０ａ，１０ｂ、これらの一側縁どうしを繋ぐ起立板部１１、および板部１０ａ，１０ｂの他側縁に繋がった一対の起立板部１２ａ，１２ｂを有している。
【００１７】
レールケース３は、上側ケースパネル３０ａと下側ケースパネル３０ｂとを組み合わせて構成されており、上側ケースパネル３０ａには、リヤスライドドアのロアガイドレール３１が設けられている。上側ケースパネル３０ａと下側ケースパネル３０ｂとは、フランジ接合されており、図１（ｃ）に示すように、レールケース３の前部には、車両前方に向けて突出した一対のフランジ３２が設けられている。これら一対のフランジ３２と前部リインフォース１の板部１０ａとは、互いに重ね合わされて接合されている。接合手段は、たとえばスポット溶接である（図１（ｃ）の符号Ｗで示す部分は、溶接部である）。なお、レールケース３の前面部３３と前部リインフォース１の後端面１４とは、互いに対面している。
【００１８】
レールケース３の車幅方向内側には、スライドドアのロアローラを受けるガセット６が取り付けられている。上側ケースパネル３０ａのうち、一対のフランジ３２の近傍部分には、ロアローラ用のストッパ片７が取り付けられている。このストッパ片７の下部は、後部リインフォース２に接合されている。
【００１９】
次に、前記した車両構造Ｃの作用について説明する。
【００２０】
まず、前部リインフォース１の後部は、既述したように断面ハット状であり、その剛性は高い。一方、レールケース３の一対のフランジ３２およびその周辺部も、剛性が高い部分である。したがって、前突荷重を受けた際に、それらの部分が大きく変形するようなことはなく、前突荷重は前部リインフォース１からレールケース３に対して適切に伝達され、車両後部側において前突荷重を適切に受けることが可能となる。ロアローラ用のストッパ片７は、上側ケースパネル３０ａのうち、一対のフランジ３２の近傍部分から後部リインフォース２に跨がるようにして取り付けられているため、前突荷重を受けた際に一対のフランジ３２が上下に開くように変形することも抑制される。
【００２１】
前突荷重が相当に大きいなどの何らかの事情に起因し、仮に、一対のフランジ３２と前部リインフォース１との接合状態が解除されたとしても、この場合には前部リインフォース１の後端面１４（起立板部１２ａの後端面も含む）がレールケース３の前面部３３に直接当接する。したがって、この場合においても、前突荷重がレールケース３側に適切に伝達される。なお、本実施形態では、後端面１４と前面部３３とを離間させた状態に設定しているが、本発明はこれに限定されず、これら後端面１４と前面部３３とを対面接触させた状態に設定してもよい。
【００２２】
前部リインフォース１とレールケース３とは直結されており、これらを連結するための専用部品は不要である。レールケース３の一対のフランジ３２は、レールケース３に元々具備されるものである。このようなことから、本実施形態では、部品点数の少数化による軽量化や製造コストの低減を適切に図ることが可能である。前部リインフォース１の板部１０ａとレールケース３の一対のフランジ３２とを接合する作業も、容易に行なうことが可能である。
【００２３】
本発明は、上述した実施形態の内容に限定されない。本発明に係る車両構造の各部の具体的な構成は、本発明の意図する範囲内において種々に設計変更自在である。
本発明は、センタピラーを有するタイプの車両にも適用できることは勿論である。
【符号の説明】
【００２４】
Ｃ  車両構造
１  前部リインフォース（ロッカリインフォース）
２  後部リインフォース（ロッカリインフォース）
３  レールケース
４  ロッカ
７  ロアローラ用のストッパ片
１０ａ  板部（前部リインフォースの）
３０ａ  上側ケースパネル
３０ｂ  下側ケースパネル
【図１】
2014201073.tif 000003